(57)【要約】【課題】  複数の非接触型ＩＣカードの携行に際して、不使用時には不本意なデータ授受が行われず、使用時には簡便な操作で、所望する非接触型ＩＣカードのみのデータ授受を行うことが出来る非接触型ＩＣカードホルダーを提供する。【解決手段】  ２枚の非接触型ＩＣカードをそれぞれ収納及び出し入れ可能な非導電性材料からなるカードホルダーと、１枚の導電性材料からなる導電体板を収納した非導電性材料からなる導電体板ホルダーとからなり、前記カードホルダー及び導電体板ホルダーの一辺で見開き可能に綴じたことを特徴とする非接触型ＩＣカードホルダー。【選択図】        図１
2006031232.tif 000002
【特許請求の範囲】
【請求項１】
２枚の非接触型ＩＣカードをそれぞれ収納及び出し入れ可能な非導電性材料からなるカードホルダーと、１枚の導電性材料からなる導電体板を収納した非導電性材料からなる導電体板ホルダーとからなり、前記カードホルダー及び導電体板ホルダーの一辺で見開き可能に綴じたことを特徴とする非接触型ＩＣカードホルダー。
【請求項２】
請求項１記載の非接触型ＩＣカードホルダーを複数部重ね一辺で見開き可能に綴じたことを特徴とする非接触型ＩＣカードホルダー。
【請求項３】
２枚の非接触型ＩＣカードが積層状で且つ相互に間隙を有して収納及び出し入れ可能な非導電性材料からなるカードホルダーと、１枚の導電性材料からなる導電体板を収納した導電体板ホルダーとからなり、前記カードホルダー及び導電体板ホルダーの一辺で見開き可能に綴じたことを特徴とする非接触型ＩＣカードホルダー。
【請求項４】
前記２枚の非接触型ＩＣカード相互の間隙が、前記カードホルダー内に一体に設けられた隔壁によって形成された間隙であることを特徴とする請求項３記載の非接触型ＩＣカードホルダー。
【請求項５】
前記非接触型ＩＣカードホルダーを複数部重ね一辺で見開き可能に綴じたことを特徴とする請求項３又は４記載の非接触型ＩＣカードホルダー。
【発明の詳細な説明】
【技術分野】
【０００１】
本発明は、非接触型ＩＣカ−ドを複数枚収納する非接触型ＩＣカ−ドホルダーに関する。
【背景技術】
【０００２】
従来、乗車券・定期券等の入出場処理は、磁気券からなる乗車券類を自動改札機本体に投入する投入型自動改札機により行われており、利用者には、入出場毎に定期券等を出し入れしなければならないという不便があった。近時、このような不便を解消する為、定期券等が無線通信機能を備えた非接触型ＩＣカードで構成され、自動改札機本体との間でデータ授受を行って入出場処理を行う方式が普及し始め、利用者は入出場の際、カードリーダである自動改札機のアンテナに非接触型ＩＣカードの定期券等をかざすだけで通過できるという利便性の向上が図られている。またＩＣカードは従来の磁気券に比して記憶容量が大きいので、前記定期券等の入出場処理データ以外に、ストアードフェア（ＳＦ）のデータを備えて、駅構内に設けられたストア内での買物や飲食にも利用されることも考えられている。
【０００３】
しかしながら、上記非接触型ＩＣカードを携行するにあたって、定期券入れ等のカードホルダーに非接触型ＩＣカードが1枚だけ入っているときは問題を生じないが、複数の鉄道の社線を乗り継ぐような場合、カードホルダーに複数枚の非接触型ＩＣカードが重なり合って収納されると、カードリーダである自動改札機のアンテナから発生する磁界が複数枚の非接触型ＩＣカードとの間で相互干渉を起こし、誤ったデータの読み出しや書き込みが行われ、例えば入出場が拒否されるというような不都合を発生することが知られている。
【０００４】
そこで、上記の不都合を解消すべく、「非接触型ＩＣカードがそれぞれ収納される複数のカード収納部を備えた非接触型ＩＣカードホルダーであって、前記カード収納部間に隔壁部を設けるとともに、前記隔壁部に導電体部を設けたことを特徴とする非接触型ＩＣカードホルダー」或いは「前記隔壁部に前記導電体部を挟んで第１及び第２の磁性体部を設けたことを特徴とする非接触型ＩＣカードホルダー」で、「所望のＩＣカードが収納されるカード収納部面をカードリーダ上に載置、またはかざした場合、所望のＩＣカードの読み出しや書き込みが可能になるとともに、カードリーダから発生する発振磁界は前記導電体部により遮断されて他のＩＣカードに影響を与えない」非接触型ＩＣカードホルダーが提案されている（例えば、特許文献１参照）。
【特許文献１】特開２０００−２６８１４６号公報
【０００５】
しかしながら、前記特許文献記載の非接触型ＩＣカードホルダーでは、導電体部を挟んで収納された非接触型ＩＣカードそれぞれは、カードリーダから発生する発振磁界に電磁結合する状態にある為、カードリーダの通信エリア内に入ると自動的にデータの授受が行われ、使用しないつもりのカードから、意に反したデータの授受が行われ、損害を蒙る惧れもあった。また、定期券等の場合、カードリーダのアンテナに対し非接触型ＩＣカードホルダーが正面からかざされず、例えば、斜め向きにかざされた場合には、所望しない側のカードの誤ったデータの授受が行われ、入出場が拒否されるというような不都合が発生する事態もあった。
【発明の開示】
【発明が解決しようとする課題】
【０００６】
そこで、本発明の目的は、上記問題を解決するためになしたものであって、複数の非接触型ＩＣカードの携行に際して、不使用時には不本意なデータ授受が行われず、使用時には簡便な操作で、所望する非接触型ＩＣカードのみのデータ授受を行うことが出来る非接触型ＩＣカードホルダーを提供することにある。
【課題を解決するための手段】
【０００７】
上記課題を解決するため、請求項１の発明は、２枚の非接触型ＩＣカードをそれぞれ収納及び出し入れ可能な非導電性材料からなるカードホルダーと、１枚の導電性材料からなる導電体板を収納した非導電性材料からなる導電体板ホルダーとからなり、前記カードホルダー及び導電体板ホルダーの一辺で見開き可能に綴じたことを特徴とする非接触型ＩＣカードホルダーである。
【０００８】
請求項２の発明は、請求項１記載の非接触型ＩＣカードホルダーを複数部重ね一辺で見開き可能に綴じたことを特徴とする非接触型ＩＣカードホルダーである。
【０００９】
請求項３の発明は、２枚の非接触型ＩＣカードが積層状で且つ相互に間隙を有して収納及び出し入れ可能な非導電性材料からなるカードホルダーと、１枚の導電性材料からなる導電体板を収納した導電体板ホルダーとからなり、前記カードホルダー及び導電体板ホルダーの一辺で見開き可能に綴じたことを特徴とする非接触型ＩＣカードホルダーである。
【００１０】
請求項４の発明は、前記２枚の非接触型ＩＣカード相互の間隙が、前記カードホルダー内に一体に設けられた隔壁によって形成された間隙であることを特徴とする請求項３記載の非接触型ＩＣカードホルダーである。
【００１１】
請求項５の発明は、前記非接触型ＩＣカードホルダーを複数部重ね一辺で見開き可能に綴じたことを特徴とする請求項３又は４記載の非接触型ＩＣカードホルダーである。
【発明の効果】
【００１２】
本発明の非接触型ＩＣカードホルダーは、複数の非接触型ＩＣカードの携行に際して、不使用時には、２枚のカードホルダー間に導電体板ホルダーを位置させれば、それぞれの非接触型ＩＣカードが導電体板に極めて近接するので、それぞれの非接触型ＩＣカードはカードリーダから発生する発振磁界に電磁結合せず、不本意なデータ授受が行われることがなく、使用時には、極めて簡便な操作すなわち所望する非接触型ＩＣカードをもう一方の非接触型ＩＣカード側に見開き廻動する操作と所望する非接触型ＩＣカードの面をカードリーダにかざす操作によって、所望する非接触型ＩＣカードのみがカードリーダから発生する発振磁界に電磁結合してデータ授受を行うことが出来、誤ったデータの授受による損害を防ぐことが出来るという効果がある。
【００１３】
また、カードリーダのアンテナに対し、非接触型ＩＣカードホルダーが斜め向き等正対しない状態でかざされても、所望しない非接触型ＩＣカードは導電体板に極めて近接しているので、カードリーダから発生する発振磁界に電磁結合せず、誤ったデータの授受が行われないので、定期券等の場合、入出場が拒否されるというような不都合が発生することがない。
【発明を実施するための最良の形態】
【００１４】
上記本発明について、図面等を用いて以下に詳述する。図１は本発明に係る非接触型ＩＣカードホルダーの実施例の説明用斜視図。図２は同じく実施例の不使用時の折り重ね状態を示す横断面図。図３（ａ）は同じく実施例のカードＡの使用状態を示す説明用横断面図。図３（ｂ）は同じく実施例のカードＢの使用状態を示す説明用横断面図。図４は図1の実施例の展開例を示す説明用斜視図である。図５は本発明に係る非接触型ＩＣカードホルダーの、第二の実施例の不使用時における折り重ね状態を示す説明用横断面図。図６（ａ）は本発明に係る非接触型ＩＣカードホルダーの、第三の実施例の説明用斜視図。図６（ｂ）は同じく第三の実施例を、背面から見た説明用斜視図。図７は同じく第三の実施例の、カードＡの使用状態を示す説明用横断面図。図８は本発明に係る非接触型ＩＣカードホルダーにおいて、複数枚の非接触型ＩＣカードの使用状態を説明する為の模式図である。
【００１５】
非接触型ＩＣカードホルダーは、２枚の非接触型ＩＣカードをそれぞれ収納及び出し入れ可能な非導電性材料からなるカードホルダーと、１枚の導電性材料からなる導電体板を収納した非導電性材料からなる導電体板ホルダーとを重ね、各前記カードホルダー及び導電体板ホルダーの一辺で見開き可能に綴じて構成されている。
図１は本発明に係る非接触型ＩＣカードホルダーの実施例の説明用斜視図で、長尺のプラスチックシートが両外側端でそれぞれ二つ折りにされ、一方の端辺をカードホルダー開放端縁１４とし他の三方の端辺をそれぞれ溶着してカードホルダー溶着端縁１１、１２、１３とし、カードホルダー外壁５とカードホルダー内壁６によってポケット状に形成し、前記カードホルダー開放端縁１４より非接触型ＩＣカードＡを出し入れ可能としたカードホルダー２と、同様に一方の端辺をカードホルダー開放端縁１８とし他の三方の端辺をそれぞれ溶着してカードホルダー溶着端縁１５、１６、１７とし、カードホルダー外壁７とカードホルダー内壁８によってポケット状に形成し、前記カードホルダー開放端縁１８より非接触型ＩＣカードＢを出し入れ可能としたカードホルダー３と、長尺のプラスチックシートが二つ折りにされ、三方の端辺をそれぞれ溶着して導電体板ホルダー溶着端縁１９、２０、２１とし、導電体板ホルダー構成壁９及び１０によってポケット状に形成された導電体板ホルダー４内に導電体板Ｃを収納したのち開放した一方の端辺を前記カードホルダー２及び３間の導電体板ホルダー溶着縁２２に溶着して封入し、非接触型ＩＣカードホルダー１を構成したものを示している。
【００１６】
カードホルダー２、３及び導電体板ホルダー４は共に、通常使用される非接触型ＩＣカードが角丸の方形状であるので、方形状に形成されたホルダーで、実施例では見開き可能に綴じられた方向の一辺を出し入れ口とし、他の三辺が溶着され、非接触型ＩＣカード及び導電体板を収容する内容積を有してそれぞれ形成されている。尚、導電体板ホルダー４は四辺を溶着し導電体板を封入する構成とすることも出来る。材質としては、電波を通過させる非導電体材料、例えばプラスチックでは軟質の塩化ビニル樹脂シートが加工上最適で、０．３ｍｍから１．０ｍｍの範囲のシート厚さが好適である。又、定期券等の用途面からは皮革、布帛なども使用することができる。さらに、真空成形法や射出成形法を用いた硬質のプラスチック成形品からなるホルダーとしても良い。
【００１７】
導電体板Ｃは、複数枚の非接触型ＩＣカードを携行する際、非接触型ＩＣカードがカードリーダから発生する発振磁界に電磁結合しないようにブロックするもので、用いられる材料としては、導電性材料である例えばアルミニウム、銅、鉄、ニッケル等の金属材料或いはブリキ等の合金材料が使用できる。導電体板Ｃの形状及び大きさは、非接触型ＩＣカードＡ及びＢのアンテナ（平面アンテナで、カード面の大きさに形成されるループコイルアンテナ）を被って発振磁界を遮断するために、非接触型ＩＣカードＡ及びＢのカード面に等しい大きさとすることが望ましい。又、厚さは薄い箔状のシートを用いても良いが、折り曲げ等耐久性を考えた場合、プレート状とすることが望ましい。
【００１８】
図２は、図１に示した実施例の非接触型ＩＣカードホルダー１の、不使用時の折り重ね状態を示す横断面図で、カードホルダー外壁５及び７とカードホルダー内壁６及び８でそれぞれ形成されたポケット状のカードホルダー２及び３に収納された非接触型ＩＣカードＡ及びＢそれぞれは、導電体板ホルダー構成壁９及び１０間に封入された導電体板Ｃに積層状に近接している。この為カードリーダＲのアンテナ基板Ｕに形成されたアンテナコイルＴから発生する発振磁界は導電体板Ｃにより生じる渦電流により打ち消され、非接触型ＩＣカードＡ及びＢのアンテナＳとは電磁結合せず、カードリーダＲ側から非接触型ＩＣカードＡ及びＢに対してのデータの読み取りや書き込みは行われない。
【００１９】
図３（ａ）は、図１に示した実施例の非接触型ＩＣカードホルダー１の、非接触型ＩＣカードＡの使用状態を示す説明用横断面図で、図２に示した実施例の非接触型ＩＣカードホルダー１の折り重ね状態から、カードホルダー２が導電体板ホルダー溶着縁２２を中心線として見開き状に廻動され、カードホルダー３側に積層状に重ね合わされ、前記非接触型ＩＣカードＡ側すなわちカードホルダー２のカードホルダー内壁６側が、カードリーダＲにかざされた状態を示しており、このとき、非接触型ＩＣカードＢは前項記載のように、導電体板ホルダー構成壁９及び１０間に封入された導電体板Ｃに積層状に近接している為、カードリーダＲのアンテナ基板Ｕに形成されたアンテナコイルＴから発生する発振磁界は導電体板Ｃにより生じる渦電流により打ち消され、非接触型ＩＣカードＢのアンテナＳとは電磁結合せず、カードリーダＲ側から非接触型ＩＣカードＢに対してのデータの読み取りや書き込みは行われない。非接触型ＩＣカードＡは、導電体板Ｃとの間に非接触型ＩＣカードＢを介して近接しておらず、且つ非接触型ＩＣカードＢとの間にそれぞれカードホルダー外壁５及び７によって形成される若干の間隙を有している為、カードリーダＲのアンテナ基板Ｕに形成されたアンテナコイルＴから発生する発振磁界は、非接触型ＩＣカードＡとの間に磁路を形成し、非接触型ＩＣカードＡのアンテナコイルＳと電磁結合して、カードリーダＲ側から非接触型ＩＣカードＡに対してのデータの読み取りや書き込みが行われる。前記非接触型ＩＣカードＡ及びＢ間に形成される若干の間隙は、カードホルダー外壁５及び７の積層によって約１ｍｍ程度の厚さからなる間隙が望ましい。
【００２０】
同様に、図３（ｂ）は、図１に示した実施例の非接触型ＩＣカードホルダー１の、非接触型ＩＣカードＢの使用状態を示す説明用横断面図で、図２に示した実施例の非接触型ＩＣカードホルダー１の折り重ね状態から、カードホルダー３が導電体板ホルダー溶着縁２２を中心線として見開き状に廻動され、カードホルダー２側に積層状に重ね合わされ、前記非接触型ＩＣカードＢ側すなわちカードホルダー３のカードホルダー内壁８側が、カードリーダＲにかざされた状態を示しており、非接触型ＩＣカードＢは、導電体板Ｃとの間に非接触型ＩＣカードＡを介して近接しておらず、且つ非接触型ＩＣカードＡとの間にそれぞれカードホルダー外壁５及び７によって形成される若干の間隙を有している為、カードリーダＲのアンテナ基板Ｕに形成されたアンテナコイルＴから発生する発振磁界は、非接触型ＩＣカードＡとの間に磁路を形成し、非接触型ＩＣカードＡのアンテナコイルＳと電磁結合して、カードリーダＲ側から非接触型ＩＣカードＡに対してのデータの読み取りや書き込みが行われる。このとき、非接触型ＩＣカードＡは前項記載のように、導電体板ホルダー構成壁９及び１０間に封入された導電体板Ｃに積層状に近接している為、カードリーダＲ側から非接触型ＩＣカードＡに対してのデータの読み取りや書き込みは行われない。
【００２１】
図４は、本発明に係る非接触型ＩＣカードホルダーの、図1の実施例の展開例を示す説明用斜視図で、図１に示した非接触型ＩＣカードホルダーの実施例の外側に表紙部分を取り付けたものであって、長尺のプラスチックシートが両外側端でそれぞれ二つ折りにされ、一方の端辺を表紙開放端縁３６とし他の三方の端辺をそれぞれ溶着して表紙溶着端縁３３、３４、３５とし、表紙外壁２９と表紙内壁３０によってポケット状に形成し、前記表紙開放端縁３６より携行する他のカード類例えば名刺等を出し入れ可能とした表紙２７と、同様に一方の端辺を表紙開放端縁４０とし他の三方の端辺をそれぞれ溶着して表紙溶着端縁３７、３８、３９とし、表紙外壁３１と表紙内壁３２によってポケット状に形成し、前記表紙開放端縁４０より携行する他のカード類例えば名刺等を出し入れ可能とした表紙２８とからなる表紙が、前述の導電体板ホルダー取付溶着縁２２部分に取り付け、溶着された状態を示している。図示は省略するが、例えば非接触型ＩＣカードＡの使用にあたって、非接触型ＩＣカードＡがカードリーダにかざされる状態では、非接触型ＩＣカードＢが導電体板Ｃに近接状態で、且つ各ホルダー及び表紙の見開き状の廻動操作により、非接触型ＩＣカードＡ及びＢの間には、カードホルダー外壁５及び７、表紙内壁３０及び３２、表紙外壁２９及び３１の積層による間隙を形成する為、カードリーダＲのアンテナ基板Ｕに形成されたアンテナコイルＴから発生する発振磁界による非接触型ＩＣカードＡとの間の磁路形成が確実に行われ、カードリーダ側から非接触型ＩＣカードＡに対してのデータの読み取りや書き込みが行われる。本展開例によれば、非接触型ＩＣカード以外のカードの携行も可能となるばかりでなく、前記表紙外壁２９及び表紙外壁３１の表面に印刷加工等を施せば、定期券入れ等の体裁がさらに好ましいものとなる。、
【００２２】
図５は、本発明に係る非接触型ＩＣカードホルダーの、第二の実施例の不使用時における折り重ね状態を示す説明用横断面図で、カードホルダー外壁５とカードホルダー内壁６との間に間隙板封入壁２３を設け、前記カードホルダー外壁５と間隙板封入壁２３の間に間隙板Ｄを収納し、図示は省略するがカードホルダー溶着端縁１１及び１３並びに図示のカードホルダー溶着端縁１２及び間隙板封入溶着縁２５を溶着して、前記間隙板Ｄを封入するとともに、一方の端辺をカードホルダー開放端縁１４とし他の三方の端辺をカードホルダー溶着端縁１１、１２、１３で溶着し、前記間隙板封入壁２３とカードホルダー内壁６によってポケット状に形成され、前記カードホルダー開放端縁１４より非接触型ＩＣカードＡを出し入れ可能としたカードホルダー５２と、同様にカードホルダー外壁７とカードホルダー内壁８との間に間隙板封入壁２４を設け、前記カードホルダー外壁７と間隙板封入壁２４の間に間隙板Ｅを収納し、図示は省略するがカードホルダー溶着端縁１５及び１７並びに図示のカードホルダー溶着端縁１６及び間隙板封入溶着縁２６を溶着して、前記間隙板Ｅを封入するとともに、一方の端辺をカードホルダー開放端縁１８とし他の三方の端辺をカードホルダー溶着端縁１５、１６、１７で溶着し、前記間隙板封入壁２４とカードホルダー内壁８によってポケット状に形成され、前記カードホルダー開放端縁１８より非接触型ＩＣカードＢを出し入れ可能としたカードホルダー５３と、三方の端辺をそれぞれ溶着して導電体板ホルダー溶着端縁１９（図示省略）、２０、２１（図示省略）とし、導電体板ホルダー構成壁９及び１０によってポケット状に形成された導電体板ホルダー５４内に導電体板Ｃを収納したのち、開放した一方の端辺を前記カードホルダー５２及び５３間の導電体板ホルダー溶着縁２２に溶着して封入した非接触型ＩＣカードホルダー５１であって、折り重ねられた前記カードホルダー５２及び５３に収納された非接触型ＩＣカードＡ及びＢそれぞれが、導電体板ホルダー構成壁９及び１０間に封入された導電体板Ｃに積層状に近接した状態を示している。
【００２３】
図示しないが、使用にあたり、例えば図４に示した実施例の非接触型ＩＣカードホルダー５１の折り重ね状態から、カードホルダー５２が導電体板ホルダー溶着縁２２を中心線として見開き状に廻動され、カードホルダー５３側に積層状に重ね合わされたとき、非接触型ＩＣカードＡ及びＢの間に、間隙板封入壁２３、間隙板Ｄ、カードホルダー外壁５及び７、間隙板Ｅ、間隙板封入壁２４の積層によって形成される間隙を有している為、非接触型ＩＣカードＡ側をカードリーダＲにかざされた時、カードリーダＲのアンテナ基板１０３に形成されたアンテナコイル１０２から発生する発振磁界による非接触型ＩＣカードＡとの間の磁路形成をさらに確実に行うことができ、非接触型ＩＣカードＡのアンテナコイル１０１と電磁結合して、カードリーダＲ側から非接触型ＩＣカードＡに対してのデータの読み取りや書き込みが行われる。非接触型ＩＣカードＢの使用に関しても、詳述しないが同様である。尚、前記間隙を形成する為に封入される間隙板Ｄ及びＥは特に限定されないが、硬質のプラスチック板若しくは板紙等を用いることが出来、大きさは非接触型ＩＣカード本体と同等とすることが望ましい。
【００２４】
図６（ａ）は本発明に係る非接触型ＩＣカードホルダーの、第三の実施例の説明用斜視図。（ｂ）は同じく第三の実施例を背面から見た説明用斜視図で、収納される非接触型ＩＣカードＡ及びＢよりやや大きい面を有したプラスチックシートからなるカードホルダー隔壁１０４の表裏面に、それぞれ長手方向にやや短尺なプラスチックシートからなるカードホルダー内壁１０６とカードホルダー外壁１０７とを積層状に重ね合わせ、一方の短尺側端辺をカードホルダー開放端縁１１２及び１１３とし他の三方の端辺をそれぞれ溶着してカードホルダー溶着端縁１０９、１１０、１１１としてポケット状に形成し、前記カードホルダー開放端縁１１２及び１１３よりそれぞれ非接触型ＩＣカードＡ及びＢを出し入れ可能としたカードホルダー１０２と、長尺のプラスチックシートが二つ折りにされ、三方の端辺をそれぞれ溶着して導電体板ホルダー溶着端縁１１４、１１５、１１６とし、前記カードホルダー隔壁１０４と略等しい大きさを有する導電体板ホルダー構成壁１０７及び１０８によってポケット状に形成された導電体板ホルダー１０３内に導電体板Ｃを収納したのち開放した一方の端辺を、前記カードホルダー隔壁１０４の端縁の導電体板ホルダー溶着縁１１７にて溶着して封入するとともに、該導電体板ホルダー溶着縁１１７を中心線として見開き状に廻動可能な非接触型ＩＣカードホルダー１０１を構成した状態を示している。
【００２５】
図７は同じく第三の実施例における、非接触型ＩＣカードＡの使用状態を示す説明用横断面図で、導電体板ホルダー１０２が見開き状に廻動されてカードホルダー１０３の非接触型ＩＣカードＢ側に積層状に重ね合わされ、前記非接触型ＩＣカードＡ側すなわちカードホルダー１０３のカードホルダー外壁１０５側が、カードリーダＲにかざされた状態を示しており、カードリーダＲのアンテナ基板Ｕに形成されたアンテナコイルＴから発生する発振磁界は、非接触型ＩＣカードＡとの間に磁路を形成し、非接触型ＩＣカードＡのアンテナコイルＳと電磁結合して、カードリーダＲ側から非接触型ＩＣカードＡに対してのデータの読み取りや書き込みが行われる。このとき、非接触型ＩＣカードＢは導電体板ホルダー構成壁１０７及び１０８間に封入された導電体板Ｃに積層状に近接している為、カードリーダＲのアンテナ基板Ｕに形成されたアンテナコイルＴから発生する発振磁界は導電体板Ｃにより生じる渦電流により打ち消され、非接触型ＩＣカードＢのアンテナＳとは電磁結合せず、カードリーダＲ側から非接触型ＩＣカードＢに対してのデータの読み取りや書き込みは行われない。
【００２６】
図示は省略するが、非接触型ＩＣカードＢの使用に際しては、導電体板ホルダー１０２が見開き状に廻動されてカードホルダー１０３の非接触型ＩＣカードＡ側に積層状に重ね合わされ、前記非接触型ＩＣカードＢ側すなわちカードホルダー１０３のカードホルダー外壁１０６側が、カードリーダＲにかざされた状態となることにより、カードリーダＲのアンテナ基板Ｕに形成されたアンテナコイルＴから発生する発振磁界は、非接触型ＩＣカードＢとの間に磁路を形成し、非接触型ＩＣカードＢのアンテナコイルＳと電磁結合して、カードリーダＲ側から非接触型ＩＣカードＢに対してのデータの読み取りや書き込みが行われる。このとき、非接触型ＩＣカードＡは導電体板ホルダー構成壁１０７及び１０８間に封入された導電体板Ｃに積層状に近接している為、カードリーダＲのアンテナ基板Ｕに形成されたアンテナコイルＴから発生する発振磁界は導電体板Ｃにより生じる渦電流により打ち消され、非接触型ＩＣカードＡのアンテナＳとは電磁結合せず、カードリーダＲ側から非接触型ＩＣカードＡに対してのデータの読み取りや書き込みは行われない。
【００２７】
図８（ａ）〜（ｄ）は本発明に係る非接触型ＩＣカードホルダーにおいて、複数枚の非接触型ＩＣカードの使用状態を説明する為の模式図で、煩雑さを避ける為、図示は省略したが、非接触型ＩＣカードＡ、Ｂ、Ｘ、Ｙがそれぞれ出し入れ可能に収納されているカードホルダー或いは非接触型ＩＣカードＡ及びＢ、Ｘ及びＹがカードホルダー内に一体に設けられた隔壁の表裏に積層状に出し入れ可能に収納されているカードホルダー、及び導電体板Ｃ、Ｚがそれぞれ収納されている導電体板ホルダーはホルダーの一辺で見開き可能に綴じられているものである。
図８（ａ）は非接触型ＩＣカードＡがカードリーダＲにかざされた状態を表しており、このとき他の非接触型ＩＣカードＢ及びＸは導電体板Ｃに、非接触型ＩＣカードＹは導電体板Ｚに近接しており、前述のようにカードリーダＲのアンテナ基板に形成されたアンテナコイルから発生する発振磁界は、非接触型ＩＣカードＡとの間に磁路を形成し、非接触型ＩＣカードＡのアンテナコイルと電磁結合して、カードリーダＲ側から非接触型ＩＣカードＡに対してのデータの読み取りや書き込みが行われ、非接触型ＩＣカードＢ、Ｘ及びＹはそれぞれ導電体板Ｃ及びＺに積層状に近接している為、カードリーダＲのアンテナ基板に形成されたアンテナコイルから発生する発振磁界は導電体板Ｃにより生じる渦電流により打ち消され、非接触型ＩＣカードＢ、Ｘ及びＹのアンテナとは電磁結合せず、カードリーダＲ側から非接触型ＩＣカードＢ、Ｘ及びＹに対してのデータの読み取りや書き込みは行われない。
【００２８】
前項記載と同様に、図８（ｂ）では非接触型ＩＣカードＢがカードリーダＲにかざされてデータの読み取りや書き込みが行われ、非接触型ＩＣカードＡ、Ｘ及びＹのデータの読み取りや書き込みは行われない。図８（ｃ）では非接触型ＩＣカードＸがカードリーダＲにかざされてデータの読み取りや書き込みが行われ、非接触型ＩＣカードＹ、Ａ及びＢのデータの読み取りや書き込みは行われない。図８（ｄ）では非接触型ＩＣカードＹがカードリーダＲにかざされてデータの読み取りや書き込みが行われ、非接触型ＩＣカードＸ、Ｂ及びＡのデータの読み取りや書き込みは行われない。上記のように、本発明によれば複数枚の非接触型ＩＣカードの使用において、所望の非接触型ＩＣカードのみのデータ授受が行われ、使用しない非接触型ＩＣカードのデータ授受が行われることが無い。
【図面の簡単な説明】
【００２９】
【図１】本発明に係る非接触型ＩＣカードホルダーの実施例の説明用斜視図。
【図２】同じく実施例の不使用時の折り重ね状態を示す横断面図。
【図３】（ａ）同じく実施例のカードＡの使用状態を示す説明用横断面図。                （ｂ）同じく実施例のカードＢの使用状態を示す説明用横断面図。
【図４】図1の実施例の展開例を示す説明用斜視図。
【図５】本発明に係る非接触型ＩＣカードホルダーの、第二の実施例の不使用時における折り重ね状態を示す説明用横断面図。
【図６】（ａ）本発明に係る非接触型ＩＣカードホルダーの、第三の実施例の説明用斜視図。                （ｂ）同じく第三の実施例を、背面から見た説明用斜視図。
【図７】同じく第三の実施例の、カードＡの使用状態を示す説明用横断面図。
【図８】（ａ）〜（ｄ）本発明に係る非接触型ＩＣカードホルダーにおいて、複数枚の非接触型ＩＣカードの使用状態を説明する為の模式図。
【符号の説明】
【００３０】
Ａ、Ｂ、Ｘ、Ｙ    非接触型ＩＣカード
Ｃ、Ｚ    導電体板
Ｄ、Ｅ    間隙板
Ｒ    カードリーダ
Ｓ    非接触型ＩＣカードのアンテナコイル
Ｔ    カードリーダのアンテナコイル
Ｕ    カードリーダのアンテナ基板
１、５１、１０１    非接触型ＩＣカードホルダー
２、３、５２、５３、１０２    カードホルダー
４、５４、１０３    導電体板ホルダー
１０４    カードホルダー隔壁
５、７、１０５    カードホルダー外壁
６、８、１０６    カードホルダー内壁
９、１０、１０７、１０８    導電体板ホルダー構成壁
１１〜１３、１５〜１７、１０９〜１１１    カードホルダー溶着端縁
１４、１８、１１２、１１３    カードホルダー開放端縁
１９〜２１、１１４〜１１６    導電体板ホルダー溶着端縁
２２、１１７    導電体板ホルダー取付溶着縁
２３、２４    間隙板封入壁
２５、２６    間隙板封入溶着縁
２７、２８    表紙
２９、３１    表紙外壁
３０、３２    表紙内壁
３３〜３５、３７〜３９    表紙溶着端縁
３６、４０    表紙開放端縁
【図１】
2006031232.tif 000003
【図２】
2006031232.tif 000004
【図３】
2006031232.tif 000005
【図４】
2006031232.tif 000006
【図５】
2006031232.tif 000007
【図６】
2006031232.tif 000008
【図７】
2006031232.tif 000009
【図８】
2006031232.tif 000010